(57)【要約】【課題】撮影画像の登録を受け付け、撮影場所に基づいて撮影画像を背景画像に合成し、合成画像を再生する。【解決手段】本発明の画像再生システムは、所定の撮影条件を満たす撮影画像を受信する画像受信部、及び前記撮影画像を、前記撮影画像の撮影場所位置情報と対応付けて記憶する画像記憶部を有する画像管理サーバ２と、背景画像を保存し、画像管理サーバ２から前記撮影画像及び前記撮影場所位置情報を取得し、前記背景画像上の前記撮影場所位置情報に基づく位置に前記撮影画像を合成して合成画像を生成し、前記合成画像を画像出力装置へ送信する再生制御装置４と、を備える。【選択図】図１
2019079475.tif 000002
【特許請求の範囲】
【請求項１】
所定の撮影条件を満たす撮影画像を受信する画像受信部、及び前記撮影画像を、前記撮影画像の撮影場所位置情報と対応付けて記憶する画像記憶部を有する画像管理サーバと、
背景画像を保存し、前記画像管理サーバから前記撮影画像及び前記撮影場所位置情報を取得し、前記背景画像上の前記撮影場所位置情報に基づく位置に前記撮影画像を合成して合成画像を生成し、前記合成画像を画像出力装置へ送信する再生制御装置と、
を備える画像再生システム。
【請求項２】
前記背景画像は地図画像であることを特徴とする請求項１に記載の画像再生システム。
【請求項３】
前記撮影条件は、少なくとも１つの場所の位置情報を含み、
前記画像管理サーバは、前記位置情報に対応する場所で撮影された撮影画像を記憶することを特徴とする請求項１又は２に記載の画像再生システム。
【請求項４】
前記撮影条件は、複数の異なる場所の位置情報を含み、
前記再生制御装置は、前記画像管理サーバから撮影場所の異なる複数の撮影画像を取得し、前記複数の撮影画像を前記背景画像に合成することを特徴とする請求項３に記載の画像再生システム。
【請求項５】
前記再生制御装置は、前記画像管理サーバから、撮影場所が同じである複数の撮影画像を取得した場合、前記背景画像に合成する撮影画像を所定の時間間隔で切り替えることを特徴とする請求項１乃至４のいずれかに記載の画像再生システム。
【請求項６】
前記再生制御装置は、前記撮影画像の撮影時刻から所定時間経過するまで、前記撮影画像を前記合成画像の生成に利用することを特徴とする請求項１乃至５のいずれかに記載の画像再生システム。
【請求項７】
前記画像管理サーバは、前記撮影画像に所定の対象物が含まれているか否か解析し、前記対象物が含まれている撮影画像を前記再生制御装置へ送信することを特徴とする請求項１乃至５のいずれかに記載の画像再生システム。
【請求項８】
画像管理サーバが、所定の撮影条件を満たす撮影画像を受信し、前記撮影画像を、前記撮影画像の撮影場所位置情報と対応付けて記憶し、
背景画像を保存する再生制御装置が、前記画像管理サーバから前記撮影画像及び前記撮影場所位置情報を取得し、前記背景画像上の前記撮影場所位置情報に基づく位置に前記撮影画像を合成して合成画像を生成し、前記合成画像を画像出力装置へ送信する画像再生方法。
【発明の詳細な説明】
【技術分野】
【０００１】
本発明は、画像再生システム及び画像再生方法に関する。
【背景技術】
【０００２】
スマートフォンやタブレット端末等の携帯端末で撮影した画像をサーバに登録し、管理することが行われている。ユーザが、携帯端末を用いてサーバにアクセスし、登録されている画像の中から任意の画像を選択すると、サーバは、選択された画像を携帯端末に対して配信する。従来の画像管理システムでは、ユーザＩＤやパスワードを入力して正規ユーザであることが認証されれば、画像登録や画像閲覧を自由に行うことができた。
【０００３】
サーバへの画像登録やサーバによる画像配信を利用した新たなサービス展開が求められている。
【先行技術文献】
【特許文献】
【０００４】
【特許文献１】特開２０１５−２０１０８２号公報
【発明の概要】
【発明が解決しようとする課題】
【０００５】
本発明は、撮影画像の登録を受け付け、撮影場所に基づいて撮影画像を背景画像に合成し、合成画像を再生する画像再生システム及び画像再生方法を提供することを目的とする。
【課題を解決するための手段】
【０００６】
本発明の画像再生システムは、所定の撮影条件を満たす撮影画像を受信する画像受信部、及び前記撮影画像を、前記撮影画像の撮影場所位置情報と対応付けて記憶する画像記憶部を有する画像管理サーバと、背景画像を保存し、前記画像管理サーバから前記撮影画像及び前記撮影場所位置情報を取得し、前記背景画像上の前記撮影場所位置情報に基づく位置に前記撮影画像を合成して合成画像を生成し、前記合成画像を画像出力装置へ送信する再生制御装置と、を備えるものである。
【０００７】
本発明の一態様では、前記背景画像は地図画像である。
【０００８】
本発明の一態様では、前記撮影条件は、少なくとも１つの場所の位置情報を含み、前記画像管理サーバは、前記位置情報に対応する場所で撮影された撮影画像を記憶する。
【０００９】
本発明の一態様では、前記撮影条件は、複数の異なる場所の位置情報を含み、前記再生制御装置は、前記画像管理サーバから撮影場所の異なる複数の撮影画像を取得し、前記複数の撮影画像を前記背景画像に合成する。
【００１０】
本発明の一態様では、前記再生制御装置は、前記画像管理サーバから、撮影場所が同じである複数の撮影画像を取得した場合、前記背景画像に合成する撮影画像を所定の時間間隔で切り替える。
【００１１】
本発明の一態様では、前記再生制御装置は、前記撮影画像の撮影時刻から所定時間経過するまで、前記撮影画像を前記合成画像の生成に利用する。
【００１２】
本発明の一態様では、前記画像管理サーバは、前記撮影画像に所定の対象物が含まれているか否か解析し、前記対象物が含まれている撮影画像を前記再生制御装置へ送信する。
【００１３】
本発明の画像再生方法は、画像管理サーバが、所定の撮影条件を満たす撮影画像を受信し、前記撮影画像を、前記撮影画像の撮影場所位置情報と対応付けて記憶し、背景画像を保存する再生制御装置が、前記画像管理サーバから前記撮影画像及び前記撮影場所位置情報を取得し、前記背景画像上の前記撮影場所位置情報に基づく位置に前記撮影画像を合成して合成画像を生成し、前記合成画像を画像出力装置へ送信するものである。
【発明の効果】
【００１４】
本発明によれば、撮影画像の登録を受け付け、撮影場所に基づいて撮影画像を背景画像に合成し、合成画像を再生できる。
【図面の簡単な説明】
【００１５】
【図１】本発明の実施形態に係る画像再生システムの概略図である。
【図２】画像再生手段の例を示す図である。
【図３】再生される画像の例を示す図である。
【図４】携帯端末で閲覧される画像の例を示す図である。
【図５】携帯端末のハードウェア構成を示すブロック図である。
【図６】携帯端末の機能構成を示すブロック図である。
【図７】画像管理サーバのハードウェア構成図である。
【図８】画像管理サーバの機能構成を示すブロック図である。
【図９】再生制御装置のハードウェア構成図である。
【図１０】再生制御装置の機能構成を示すブロック図である。
【図１１】再生画像の生成方法を説明する図である。
【図１２】画像登録方法を説明するフローチャートである。
【図１３】画像閲覧方法を説明するフローチャートである。
【図１４】画像再生方法を説明するフローチャートである。
【発明を実施するための形態】
【００１６】
図１は本発明の実施の形態に係る画像再生システムの概略図である。図２は画像の再生手段を示す図である。画像再生システムは、携帯端末１、画像管理サーバ２、再生制御装置４、及び画像出力装置５を備える。所定の撮影条件を満たした携帯端末１で撮影を行うと、撮影画像が画像管理サーバ２にアップロードされ、保存される。携帯端末１は、例えばスマートフォンやタブレット端末等である。
【００１７】
画像管理サーバ２には、撮影画像と共に、撮影場所の位置情報や撮影日時情報等が対応付けて登録される。画像管理サーバ２は、所定の閲覧条件を満たす携帯端末１へ画像を配信し、携帯端末１で画像が閲覧できるようになる。撮影条件及び閲覧条件は、例えば、携帯端末１が所定の場所（領域内）に存在していることである。
【００１８】
また、画像管理サーバ２は、携帯端末１からアップロードされた画像が所定の再生条件を満たす場合、この画像を、再生制御装置４へ配信する。再生制御装置４は、地図データを有しており、画像管理サーバ２から配信された画像の位置情報から、この画像の地図上の位置を算出し、地図と画像とを合成する。合成画像は、画像出力装置５により再生・出力される。再生条件は、例えば、画像が、所定の場所で所定の時間帯に撮影されたことである。
【００１９】
例えば、ある企業が、駅前やイベント広場で新商品の試食キャンペーンを行い、試食を行っている顧客Ｃを携帯端末１で撮影する。携帯端末１は、顧客Ｃが所有するものでもよいし、キャンペーン主催者側が準備したものでもよい。携帯端末１は、画像管理サーバ２から撮影条件を予め受信している。撮影条件には、位置情報として、試食キャンペーンの会場の位置情報（ＧＰＳ（Global  Positioning  System）情報）が登録されている。また、撮影条件には、時刻情報として、試食キャンペーンの開催時間が登録されている。
【００２０】
試食キャンペーン会場で、キャンペーン開催時間に携帯端末１を使用する場合、撮影条件を満たすため、画像管理サーバ２への撮影画像のアップロードが可能となる。スタッフ等が試食中の顧客Ｃの撮影を行うと、携帯端末１は、撮影画像を画像管理サーバ２へ送信する。
【００２１】
携帯端末１は、撮影画像と共に、撮影場所及び撮影日時情報を画像管理サーバ２へ送信する。携帯端末１による撮影画像が、Ｅｘｉｆ（登録商標）（Exchangeable  Image  File  Format）に準拠した形式の場合は、画像ファイルに含まれる撮影日時情報及びＧＰＳ位置情報を用いてもよい。
【００２２】
画像管理サーバ２は、アップロードされた画像と、再生条件とを比較する。再生条件には、試食キャンペーンの会場の位置情報及び開催時間が登録されている。アップロードされた画像が、試食キャンペーンで撮影された画像である場合、再生条件を満たすため、画像管理サーバ２は、撮影画像を再生制御装置４へ送信する。
【００２３】
再生制御装置４及び画像出力装置５は、例えば、試食キャンペーンを行っている企業が所有し、一般向けに公開している博物館、見学可能な工場等の展示施設３に設置されている。
【００２４】
再生制御装置４は、例えば日本地図等の地図データを保存しており、画像管理サーバ２から受信した撮影画像の位置情報から、地図上の位置を算出する。再生制御装置４は、背景画像としての地図画像に、画像管理サーバ２から受信した撮影画像を算出した位置に合成し、合成画像を生成する。
【００２５】
再生制御装置４は、合成画像を画像出力装置５へ送信する。画像出力装置５が大型ディスプレイ５Ａである場合、合成画像が大画面に表示される。画像出力装置５がプロジェクタ５Ｂである場合、合成画像がスクリーン６や壁面に投影される。画像出力装置５が、展示施設３で見学者に貸し出されるタブレット端末５Ｃである場合、タブレット端末５Ｃの表示部に合成画像が表示される。
【００２６】
例えば、図３に示すような合成画像が表示される。この例では、複数の都市で同時に試食キャンペーンを行い、各地で試食を行っている顧客の画像を、地図上の対応する位置に合成して表示している。再生条件には、試食キャンペーンを行っている複数の場所の位置情報が登録される。
【００２７】
展示施設３の来場者は、各地の試食キャンペーンで新商品が試食されている画像をリアルタイムに見ることができる。
【００２８】
携帯端末１は、画像管理サーバ２から閲覧条件を予め受信している。閲覧条件には、位置情報として、試食キャンペーンの会場の位置情報が登録されている。また、閲覧条件には、時刻情報として、試食キャンペーンが終了してからの一定期間（例えば１ヶ月）が登録されている。
【００２９】
試食キャンペーンの終了後、キャンペーン会場となった場所を訪れたユーザの携帯端末１は、携帯端末１の位置及び現在時刻と、閲覧条件とを比較し、閲覧条件を満たしていることを画像管理サーバ２に通知する。画像管理サーバ２は、この場所で試食キャンペーン開催中にアップロードされた撮影画像を、携帯端末１に配信する。この携帯端末１は、試食キャンペーンで撮影を行った端末でもよいし、異なる端末でもよい。
【００３０】
試食キャンペーン中に多数の撮影画像がアップロードされているため、画像管理サーバ２は、配信する画像を選定することが好ましい。また、画像管理サーバ２は、試食キャンペーンで撮影された画像であることを示すスタンプやフレーム等を撮影画像に合成して、携帯端末１に配信することが好ましい。
【００３１】
携帯端末１は、画像管理サーバ２から受信した画像を、表示部に表示する。例えば、携帯端末１は、図４に示すような画像を表示する。ユーザは、携帯端末１に表示された画像から、今いる場所で、試食キャンペーンが行われていたことを知ることができる。
【００３２】
このように、本実施形態によれば、画像管理サーバ２は、所定の撮影条件で指定された領域に存在する携帯端末１から撮影画像の登録を受け付けると共に、この領域に存在する携帯端末１に対し、この領域で過去に撮影された画像を配信することができる。すなわち、ある場所で撮影された画像をその場所に対応付けておき、後日同じ場所に行くと、過去に撮影された画像が閲覧できるようになる。
【００３３】
また、画像管理サーバ２は、携帯端末１から受信した撮影画像を再生制御装置４へ転送することができる。再生制御装置４は、撮影画像の位置情報に基づいて撮影画像を地図上に配置する。展示施設３において、撮影画像が合成された地図画像が表示出力される。展示施設３の来場者は、画像が撮影された場所へ行かなくても、撮影画像をリアルタイムに閲覧することができる。また、国内の様々な場所で、多くの人に新商品が試食されている様子を見て、楽しむことができる。
【００３４】
次に、画像再生システムの各部の構成について説明する。
【００３５】
図５は携帯端末１のハードウェア構成例を示す。携帯端末１は、ＣＰＵ１０（演算制御部）、記憶部１１、操作表示部１２、撮影部１４、ＧＰＳ受信部１５、及び通信部１６を有する。
【００３６】
記憶部１１は、フラッシュメモリ、ＲＯＭ（Ｒｅａｄ−ｏｎｌｙ  Ｍｅｍｏｒｙ）、ＲＡＭ（Ｒａｎｄｏｍ  Ａｃｃｅｓｓ  Ｍｅｍｏｒｙ）等の組み合わせであり、画像登録・閲覧プログラムを記憶する。画像登録・閲覧プログラムは、例えばインターネット上のウェブサイトからダウンロードして、携帯端末１に予めインストールされている。また、記憶部１１は、撮影処理により生成された画像データや、画像管理サーバ２から配信された画像データを記憶する。
【００３７】
操作表示部１２は、各種情報を表示すると共に、ユーザからの操作を受け付ける。例えば、操作表示部１２はタッチパネルである。あるいはまた、操作表示部１２は、マウスやキーボード等の操作部と、液晶ディスプレイ等の表示部とを備えるものであってもよい。
【００３８】
撮影部１４は、携帯端末１に内蔵されているデジタルカメラであり、ＣＣＤ（Charged  coupled  devices）センサや、ＣＭＯＳ（Complementary  metal-oxide-semiconductor）センサを用いたものである。
【００３９】
ＧＰＳ受信部１５は、ＧＰＳ衛星から発せられる電波を受信し、ＧＰＳ情報に基づいて、携帯端末１が存在する現在地の位置情報（緯度及び経度）を取得する。
【００４０】
通信部１６は、インターネット等を介して、画像管理サーバ２と通信を行い、画像データの送受信を行う。
【００４１】
ＣＰＵ１０が画像登録・閲覧プログラムを実行することで、図６に示すように、条件受信部１０１、判定部１０２、撮影処理部１０３、画像送信部１０４、及び画像取得部１０５が実現される。各部の処理については後述する。
【００４２】
図７は、サーバ装置２の概略構成を示す。サーバ装置２は、ＣＰＵ２０（演算制御部）、記憶部２１、及び通信部２２を有するコンピュータである。記憶部２１は、フラッシュメモリ、ＲＯＭ、ＲＡＭ、ハードディスク等の組み合わせであり、画像管理プログラムを記憶する。
【００４３】
ＣＰＵ２０が画像管理プログラムを実行することで、図８に示すように、条件設定部２０１、画像受信部２０２、画像送信部２０３、及び判定部２０４が実現され、記憶部２１に画像記憶領域２１０、撮影条件記憶領域２１１、閲覧条件記憶領域２１２、及び再生条件記憶領域２１３が生成される。各部の処理については後述する。
【００４４】
図９は、再生制御装置４の概略構成を示す。再生制御装置４は、ＣＰＵ４０（演算制御部）、記憶部４１、及び通信部４２を有するコンピュータである。記憶部４１は、フラッシュメモリ、ＲＯＭ、ＲＡＭ、ハードディスク等の組み合わせであり、再生プログラムを記憶する。
【００４５】
ＣＰＵ４０が再生プログラムを実行することで、図１０に示すように、画像受信部４０１、画像合成部４０２及び画像送信部４０３が実現され、記憶部４１に地図データ記憶領域４１０、画像記憶領域４１１、及び合成画像記憶領域４１２が確保される。各部の処理については後述する。
【００４６】
次に、図１１に示すフローチャートを用いて、本実施形態による画像登録方法を説明する。
【００４７】
画像管理サービスの管理者が、画像の撮影場所の情報を撮影条件として画像管理サーバ２に入力する。入力された撮影条件は、撮影条件記憶領域２１１に格納される。撮影場所情報は、例えば、その場所のＧＰＳ位置情報（緯度、経度、高度、方角等）である。その他の撮影条件情報（露光時間、Ｆ値、ＩＳＯ感度、画像の方向など）をさらに入力してもよい。条件設定部２０１は、撮影条件を携帯端末１へ送信する。携帯端末１の条件受信部１０１は撮影条件を受信し、記憶部１１に登録する（ステップＳ１０）。
【００４８】
携帯端末１のＧＰＳ受信部１５がＧＰＳ情報から現在地の位置情報を取得する。判定部１０２は、携帯端末１の位置情報と、撮影条件に含まれる位置情報とを比較して、携帯端末１が、撮影条件で指定された場所（第１所定領域内）にいるか否か判定する（ステップＳ１１）。
【００４９】
携帯端末１が第１所定領域内にある場合（ステップＳ１１＿Ｙｅｓ）、撮影処理部１０３が撮影部１４を起動する。ユーザがシャッター操作を行うことで撮影が行われ、撮影画像が生成される（ステップＳ１２）。
【００５０】
画像送信部１０４は、通信部１６を用いて、撮影画像、撮影場所の位置情報、及び撮影日時情報を画像管理サーバ２へ送信する（ステップＳ１３）。
【００５１】
画像管理サーバ２の画像受信部２０２は、携帯端末１から受信した撮影画像に、撮影場所位置情報及び撮影日時情報を対応付けて、画像記憶領域２１０に格納する。これにより、所定の撮影条件で指定された第１領域に存在する携帯端末１によって撮影された画像を、画像管理サーバ２に登録することができる。
【００５２】
例えば、撮影条件で指定する第１領域を試食キャンペーンの会場にすることで、キャンペーン会場にある携帯端末１で撮影した画像を、画像管理サーバ２に登録することができる。
【００５３】
次に、図１２に示すフローチャートを用いて、本実施形態による画像閲覧方法を説明する。
【００５４】
画像管理サービスの管理者が、画像の閲覧場所の情報を閲覧条件として画像管理サーバ２に入力する。入力された閲覧条件は、閲覧条件記憶領域２１３に格納される。閲覧場所情報は、例えば、その場所のＧＰＳ位置情報（緯度、経度、高度、方角等）である。日時など、その他の閲覧条件情報をさらに入力してもよい。条件設定部２０１は、閲覧条件を携帯端末１へ送信する。携帯端末１の条件受信部１０１は閲覧条件を受信し、記憶部１１に登録する（ステップＳ２０）。
【００５５】
携帯端末１のＧＰＳ受信部１５がＧＰＳ情報から現在地の位置情報を取得する。判定部１０２は、携帯端末１の位置情報と、閲覧条件に含まれる位置情報とを比較して、携帯端末１が、閲覧条件で指定された場所（第２所定領域内）にいるか否か判定する（ステップＳ２１）。
【００５６】
携帯端末１が第２所定領域内にある場合（ステップＳ２１＿Ｙｅｓ）、画像取得部１０５が、画像管理サーバ２に対して、現在位置が第２所定領域内であることを通知する。画像管理サーバ２の画像送信部２０３は、画像記憶領域２１０から、撮影場所位置情報が第２所定領域である画像を取り出し、携帯端末１へ配信する（ステップＳ２２）。
【００５７】
携帯端末１の画像取得部１０５が、画像管理サーバ２から画像を取得する。取得された画像が携帯端末１の操作表示部１２に表示され、ユーザが画像を閲覧する（ステップＳ２３）。
【００５８】
例えば、閲覧条件で指定する第２領域を試食キャンペーンの会場にし、閲覧可能日時を試食キャンペーン終了後１ヶ月以内にする。キャンペーン終了後、会場となった場所を訪れたユーザの携帯端末１に、試食キャンペーンで撮影された画像が配信される。キャンペーン終了後も、会場となった場所において、新商品を宣伝することが可能となる。
【００５９】
次に、図１３に示すフローチャートを用いて、本実施形態による画像再生方法を説明する。
【００６０】
画像管理サービスの管理者が、再生制御装置４へ送信すべき画像の撮影場所情報及び撮影日時情報を再生条件として画像管理サーバ２に入力する。入力された再生条件は、再生条件記憶領域２１３に登録される（ステップＳ３０）。
【００６１】
画像受信部２０２が、携帯端末１から撮影画像を受信する（ステップＳ３１）。判定部２０４が、受信した撮影画像の撮影場所情報及び撮影日時情報が、再生条件を満たすか否か判定する（ステップＳ３２）。
【００６２】
受信した撮影画像が再生条件を満たす場合（ステップＳ３２＿Ｙｅｓ）、画像送信部２０３は、受信した撮影画像、撮影場所の位置情報、及び撮影日時情報を再生制御装置４へ送信する（ステップＳ３３）。再生制御装置４の画像受信部４０１は、画像管理サーバ２から受信した撮影画像を画像記憶領域４１１に格納する。
【００６３】
画像合成部４０２が、地図データ記憶領域４１０に格納されている地図データの地図画像と、画像管理サーバ２から受信した撮影画像とを合成する（ステップＳ３４）。
【００６４】
例えば、画像合成部４０２は、図１４に示すように、撮影画像の撮影場所位置情報を地図画像Ｍ上の位置情報に換算し、地図画像Ｍ上に撮影画像Ｐ１〜Ｐ３を配置して、合成画像を作成する。合成画像は、合成画像記憶領域４１２に格納される。
【００６５】
画像送信部４０３が、合成画像を画像出力装置５へ送信する。画像出力装置５が、合成画像を出力する（ステップＳ３５）。例えば、プロジェクタ５Ｂにより、合成画像がスクリーン６に投影される。
【００６６】
再生条件に登録する撮影場所情報及び撮影日時情報を、試食キャンペーンの会場及び開催日時とすることで、試食キャンペーンで撮影された画像が画像管理サーバ２にアップロードされると、この撮影画像が画像管理サーバ２から再生制御装置４へ転送される。画像出力装置５が、撮影画像を地図上に合成して表示出力することで、展示施設３の見学者は、現在、国内のどこで新商品が試食されているかを見て楽しむことができる。
【００６７】
同じ場所で撮影された画像が複数ある場合、再生制御装置４は、合成する画像を所定の時間間隔で切り替えることが好ましい。また、再生制御装置４は、例えば撮影から１時間以内など、撮影画像の再生時間を制限してもよい。また、再生制御装置４は、合成する画像のサイズを、撮影からの時間経過に伴い徐々に小さくしてもよい。これにより、展示施設３で再生される合成画像内では、新しい撮影画像ほど大きく表示される。
【００６８】
携帯端末１を用いて、撮影画像に文字入力等の編集処理が行えるようにしてもよい。画像管理サーバ２には、編集後の撮影画像がアップロードされる。
【００６９】
１台の携帯端末１が同じ場所でアップロードできる画像の数を制限してもよい。
【００７０】
撮影条件等に登録される位置情報はＧＰＳ情報に限定されず、例えば、無線ＬＡＮのアクセスポイントから発信される信号に含まれるアクセスポイント３の識別子（例えばＳＳＩＤ：Service  Set  Identifier）でもよい。
【００７１】
画像管理サーバ２は、携帯端末１から受信した撮影画像の解析を行い、所定の対象物が撮影されているか判定してもよい。例えば、画像管理サーバ２は、試食キャンペーンで撮影され、アップロードされた画像に、対象の商品が写っているか否か判定する。画像管理サーバ２は、対象商品が写っている画像のみ、展示施設３に設置された再生制御装置４へ配信してもよい。
【００７２】
上記実施形態では、画像の登録・配信を、食品の試食キャンペーンに適用する例について説明したが、他の様々なサービスに適用することができる。例えば、撮影条件の位置情報に、国内の複数の景勝地を登録する。また、画像管理サーバ２は、撮影画像に、契約した自動車メーカの車が写っているか解析する。対象の車が写っている場合、画像管理サーバ２は、撮影画像を再生制御装置４へ配信する。
【００７３】
対象車に乗っているユーザが、所定の景勝地へドライブし、車と共に景色を撮影し、撮影画像をアップロードする。この撮影画像が再生制御装置４へ配信され、撮影場所の位置情報に基づいて地図画像に合成される。合成画像は、自動車メーカのショールームで再生される。ショールームを訪れている顧客に対し、各地の美しい景色と共に写った車の画像を提示することで、顧客の購入意欲を高めることができる。
【００７４】
上記実施形態では、日本地図に撮影画像を合成する例について説明したが、世界地図など異なる地図でもよい。
【００７５】
上記実施形態では、キャンペーン会場の位置情報を撮影条件に登録し、キャンペーン会場で撮影された画像を画像管理サーバ２に登録する例について説明したが、例えば撮影条件に、日本全域を位置情報として登録し、キャンペーンの開催期間を時刻情報として登録してもよい。これにより、キャンペーン中に国内で撮影された画像を日本地図に合成し、展示施設３で再生することができる。また、撮影条件の位置情報を省略する、すなわち世界中どこで撮影してもよいと設定してもよい。キャンペーン中に世界各国で撮影された画像を世界地図に合成し、展示施設３でリアルタイムに再生することができる。
【００７６】
撮影条件の位置情報の制限を緩める場合は、撮影画像に対象商品が写っているか解析し、対象商品が写っている画像のみ画像管理サーバ２にアップロード可能となるようにすることが好ましい。
【００７７】
上記実施形態では、携帯端末１を使用してキャンペーン会場で撮影を行い、撮影画像をアップロードする例について説明したが、キャンペーン主催者が用意した撮影システムを用いて、撮影及び画像のアップロードを行ってもよい。撮影システムは、例えば撮影ブース、カメラ（撮影装置）、通信機能を有するコンピュータ等からなる。
【００７８】
カメラで撮影した画像を、コンピュータが画像管理サーバ２へ送信する。カメラが撮影画像にＧＰＳ情報を付与できない機種の場合は、コンピュータが、キャンペーン会場のＧＰＳ情報を取得し、撮影画像と共に画像管理サーバ２へ送信してもよい。
【００７９】
上記実施形態では、撮影画像を地図上に合成する例について説明したが、撮影画像が合成される背景画像は地図に限定されず、様々な背景画像を用いることができる。再生制御装置４は、撮影画像の緯度・経度を背景画像上の座標軸に換算し、撮影画像を背景画像上に配置・合成する。
【００８０】
画像だけでなく、短時間の動画を画像管理サーバ２にアップロードできるようにしてもよい。
【００８１】
上記実施形態では、撮影条件又は閲覧条件で指定された領域内に存在しているか否かを携帯端末１で判定していたが、画像管理サーバ２が判定処理を行ってもよい。
【００８２】
上記説明は本発明の一例であり、本発明は上記以外の形態とされてもよい。
【符号の説明】
【００８３】
１  携帯端末
２  画像管理サーバ
３  展示施設
４  再生制御装置
５  画像出力装置
【図１】
2019079475.tif 000003
【図２】
2019079475.tif 000004
【図３】
2019079475.tif 000005
【図４】
2019079475.tif 000006
【図５】
2019079475.tif 000007
【図６】
2019079475.tif 000008
【図７】
2019079475.tif 000009
【図８】
2019079475.tif 000010
【図９】
2019079475.tif 000011
【図１０】
2019079475.tif 000012
【図１１】
2019079475.tif 000013
【図１２】
2019079475.tif 000014
【図１３】
2019079475.tif 000015
【図１４】
2019079475.tif 000016